(57)【特許請求の範囲】
【請求項１】
光ファイバ伝送路の一端に光合分岐器を設け、
該光ファイバ伝送路の他端に結合された光回線終端装置と、前記光合分岐器によってN分岐（Nは2以上の自然数である。）されて形成されるN本の分岐光ファイバ伝送路のそれぞれに結合された光端末装置を具えて構成され、
N個の該光端末装置に対して順番に第1チャンネルから第Nチャンネルが割り当てられており、
前記光回線終端装置とN個の前記光端末装置との間で、符号分割多重による双方向光通信を行う光アクセスネットワークシステムであって、
N個の前記光端末装置及び前記光回線終端装置のそれぞれは、送信する信号を符号化して符号化送信信号を生成して出力する送信信号処理部と、符号化されて送信されてきた符号化受信信号を受信して、該符号化受信信号を復号化して受信信号を抽出して出力する受信信号処理部とを具え、
第kチャンネル（kは1からNまでの自然数である。）の光端末装置から前記光回線終端装置に向けて送信を行うための信号である上り信号を符号化して出力する前記第kチャンネルの光端末装置が具える前記送信信号処理部に設定する符号と、前記光回線終端装置から前記第kチャンネルの光端末装置に向けて送信を行うための信号である下り信号を符号化して出力する前記光回線終端装置が具える前記送信信号処理部に設定する符号とが、互いに異なり、
第pチャンネル（pは1からNまでの自然数である。）の光端末装置から前記光回線終端装置に向けて送信を行うための信号である上り信号を符号化して出力する前記第pチャンネルの光端末装置が具える前記送信信号処理部に設定する符号と、
前記光回線終端装置から第qチャンネル（qは1からNまでの自然数である。）の光端末装置に向けて送信を行うための信号である下り信号を符号化して出力する前記光回線終端装置が具える前記送信信号処理部に設定する符号と、が互いに等しい
ことを特徴とする光アクセスネットワークシステム。
ここで、自然数pとqとの組（p, q）は、(1, 2)、(2, 3)、(3, 4)、...(p, p＋1)、...(N-1, N)及び(N, 1)のNとおりの組に限る。
【発明の詳細な説明】
【技術分野】
【０００１】
この発明は、PON（Passive Optical Network）において、事業者と加入者とが符号分割多重（CDM: Code Division Multiplexing）方式を利用して双方向通信するための光アクセスネットワークシステムに関する。
【背景技術】
【０００２】
事業者（以後、「センター」ということもある。）と複数の加入者（以後、「ユーザー」ということもある。）を、PONを介して接続して構成される光アクセスネットワークシステムが注目されている。以後の説明において、事業者側の装置を光回線終端装置あるいはOLT(Optical Line Terminal)、加入者側の装置を光端末装置あるいはONU(Optical Network Unit)ということもある。
【０００３】
PONとは、光ファイバ伝送路の途中に受動素子である光合分岐器を接続して一本の光ファイバ伝送路を複数の光ファイバ伝送路に分岐し、この光合分岐器を中心にしてスター型に複数の光端末装置を接続するネットワークである（例えば、非特許文献1参照）。センターとユーザー間を結ぶネットワークにPONを採用することによって、センターと光合分岐器間の光ファイバ伝送路を複数のユーザーで共有することができ、設備コストを抑制することが可能である。
【０００４】
PONを利用した従来の光アクセスネットワークシステムでは、時分割多重（TDM: Time Division Multiplexing）方式を採用し、TDM信号の時間スロットを制御することによってそれぞれのチャンネルに割り当てられるユーザーを識別している（例えば、非特許文献2参照）。ここで、ユーザーからセンターに向かう信号（以後、「上り信号」ということもある。）と、センターからユーザーに向かう信号（以後、「下り信号」ということもある。）とは異なる波長の光信号が使われている。これは、上り信号と下り信号とが一本の光ファイバ伝送路を共有するため、上り信号と下り信号とを波長の相違に基づいて識別するためである。上り信号と下り信号とは、光バンドパスフィルタによって分離及び合成され、各ユーザーとセンター間の信号は光合分岐器によって合波及び分波が行われる。
【０００５】
一方、PONを利用した光アクセスネットワークシステムにおいて、上り信号を波長分割多重（WDM: Wavelength Division Multiplexing）方式によって伝送する方法も検討されている（例えば、非特許文献3参照）。しかしながら、多重するチャンネル数（ここでは、ユーザー数）を増やすためには、利用できる波長帯域が有限幅であるから、隣接するチャンネルに割り当てる波長間隔を狭くする必要がある。このように波長間隔を狭くするためには、光源の波長安定性が必要であり、この安定性を確保するために多くの設備コストが必要となる。
【０００６】
そこで、利用する波長の数を増やさずとも、多重するチャンネルの数を増やし、かつ伝送容量を実質的に増大させることが望まれている。その方法の一つとして、センターとユーザーとの送受信をCDM伝送によって行う方法が検討されている（例えば、特許文献1及び2参照）。CDM方式をPONに採用することによって、利用する波長の数を増やさずとも、多重するチャンネルの数（ユーザー数に対応する。）を増大させることが可能となる。
【非特許文献１】横田、他、「光アクセスシステム  ATM-PON」沖電気研究開発  第182号、Vol. 67、No. 1、2000年4月
【非特許文献２】Ian M. McGregor, et al. "Implementation of a TDM Passive Optical Network for Subscriber Loop Application", J. Lightwave Technology, Vol. 7, No. 11、November 1989
【非特許文献３】K. W. Lim, et al. "Fault Localization in WDM Passive Optical Network by Reusing Downstream Light Sources", IEEE Photonics Technology Letters Vol. 17, No. 12, December 2005
【特許文献１】特表2001-512919号公報
【特許文献２】特開2004-282742号公報
【発明の開示】
【発明が解決しようとする課題】
【０００７】
しかしながら、CDM方式を採用したPONによる光アクセスネットワークシステムでは、光伝送路に設けられる光合分岐器との接続のための光コネクタにおいて、ONUから送信される送信信号の一部が反射して、ONUが受信する受信信号にこの送信信号の一部が反射雑音として混入するという問題がある。この雑音成分のために、ONUにおいて受信信号を正しく受信できない事態が発生する。
【０００８】
そこで、ONUからOLTに向けて送信される信号と、OLTからONUに向けて送信される信号とに、別の波長を割り当てる方法がある。この方法によると、信号に割り当てるべき波長の種類を2倍に増やす必要がある。光通信に利用できる波長資源が有限であることを考慮すると、利用する波長の種類が増えることは好ましくない。
【０００９】
また、ONUによって受信される受信信号に混入する雑音の強度を低下させるための手段として、上述の光伝送路に設けられる光合分岐器との接続のための光コネクタとして、反射率の小さな光コネクタを利用することが考えられる。この光コネクタは、接続する光ファイバ端面同士を光の進行方向に対する垂直面から傾けるように研磨を施して対向させることによって、光接続を行う構成となっている。このような構成とすることで、反射光の減衰量は60 dB以下に抑えられている。
【００１０】
しかしながら、この低反射タイプの光コネクタは、非常に高価であり、ユーザー側の装置であるONUと光合分岐器との接続のために利用することは、光アクセスネットワークシステムの設備コスト高につながり、好ましくない。ユーザー側の装置であるONUはユーザーの数だけ必要であるので、ONU及びこれに付随して必要となる部品として高価な部品を1つ採用することは、設備コストに大きく影響する。これに対して、センター側の装置であるOLTは1台あればよいので、高価な部品を採用することは設備コストにはあまり影響がない。また、センター側の装置であるOLTが故障すれば、システム全体が機能しなくなるのに対して、ユーザー側の装置であるONUが故障しても、システム全体の機能が失われるわけではない。したがって、ONUを構成する部品のコストが低いことが重要な要件であるのに対して、OLTを構成する部品は、その性能の高さが重要な要件となる。
【００１１】
そこで、この発明の目的は、光合分岐器とONUとを接続するために使われる光コネクタからの反射光成分が、ONUの受信信号に混入しても、受信信号のS/N比が低下することがない、PONによる光アクセスネットワークシステムを提供することにある。これによって、反射光成分が大きい低価格の光コネクタを、光合分岐器とONUとを接続するために使うことが可能となり、設備コストを下げることに大きく貢献する。
【課題を解決するための手段】
【００１２】
この発明は、事業者側に設置される装置であるOLTと、ユーザー側に設置される装置であるN個（Nは2以上の自然数である。）のONUとの間で符号分割多重による双方向光通信を行う光アクセスネットワークシステムに関する。N個のONUに対しては、順番に第1チャンネルから第Nチャンネルが割り当てられている。OLTとN個のONUとは、光ファイバ伝送路、光合分岐器及びN本の分岐光ファイバ伝送路を介して結合される。光ファイバ伝送路は、その一端に光合分岐器が設けられ、この光ファイバ伝送路の他端には、OLTが結合される。また、この光ファイバ伝送路は光合分岐器によって複数の分岐光ファイバ伝送路に分岐されて、その分岐光ファイバ伝送路それぞれには一つずつONUが結合される。
【００１３】
上述のOLT及びN個のONUのそれぞれは、送信する信号を符号化して符号化送信信号を生成して出力する送信信号処理部と、符号化されて送信されてきた符号化受信信号を受信して、この符号化受信信号を復号化して受信信号を抽出して出力する受信信号処理部とを具えている。
【００１４】
上述の目的を達成するために、この発明の光アクセスネットワークシステムでは、第kチャンネル（kは1からNまでの自然数である。）のONUが具える送信信号処理部に設定する符号と、第kチャンネルのONUに向けた下り信号を符号化して出力するOLTが具える送信信号処理部に設定する符号とが違えられている。
【００１５】
第kチャンネルのONUが具える送信信号処理部は、第kチャンネルのONUからOLTに向けて送信を行うための信号である上り信号を符号化して出力する。一方、OLTが具える送信信号処理部は、OLTから第kチャンネルのONUに向けて送信を行うための信号である下り信号を符号化して出力する。
【００１６】
また、第pチャンネル（pは1からNまでの自然数である。）のONUが具える送信信号処理部に設定する符号と、第qチャンネル（qは1からNまでの自然数である。）のONUに向けた下り信号を符号化して出力する、OLTが具える送信信号処理部に設定する符号と、を等しく設定するのが好適である。第pチャンネルのONUが具える送信信号処理部は、第pチャンネルのONUからOLTに向けた上り信号を符号化して出力する。一方、OLTが具える送信信号処理部は、OLTから第qチャンネルのONUに向けて送信を行うための信号である下り信号を符号化して出力する。
【００１７】
ただし、第pチャンネルを規定する自然数pと、第qチャンネルを規定する自然数qとの組（p, q）は、(1, 2)、(2, 3)、(3, 4)、...(p, p＋1)、...(N-1, N)及び(N, 1)のNとおりの組に限られる。例えば、4個のONUを具えるこの発明の光アクセスネットワークシステムの場合は、N＝4であるから、自然数pとqとの組（p, q）は、(1, 2)、(2, 3)、(3, 4)及び(4, 1)の4とおりの組に限られる。
【００１８】
すなわち、第1チャンネルのONUが具える送信信号処理部に設定する符号と、第2チャンネルのONUに向けた下り信号を符号化して出力するOLTが具える送信信号処理部に設定する符号を等しく設定する。第2チャンネルのONUが具える送信信号処理部に設定する符号と、第3チャンネルのONUに向けた下り信号を符号化して出力するOLTが具える送信信号処理部に設定する符号を等しく設定する。第3チャンネルのONUが具える送信信号処理部に設定する符号と、第4チャンネルのONUに向けた下り信号を符号化して出力するOLTが具える送信信号処理部に設定する符号を等しく設定する。そして、第4チャンネルのONUが具える送信信号処理部に設定する符号と、第1チャンネルのONUに向けた下り信号を符号化して出力するOLTが具える送信信号処理部に設定する符号を等しく設定する。N＝4以外の場合であっても同様である。
【発明の効果】
【００１９】
この発明の光アクセスネットワークシステムによれば、第kチャンネルの上り信号の符号化のために使われる符号と、第kチャンネルの下り信号の符号化のために使われる符号とが異なる。
【００２０】
このため、第kチャンネルにおいて、OLTから送られてくる下り信号に、第kチャンネルからOLTに向けて送られる上り信号成分の一部が光コネクタから反射されて混入しても、上り信号と下り信号とは異なる符号で符号化されているので、この下り信号を第kチャンネルのONUで復号化される際には、上り信号成分は復号化されない。したがって、光コネクタにおいて、ONUから送信される送信信号の一部が反射して、ONUが受信する受信信号にこの送信信号の一部が反射雑音として混入しても、この雑音成分のために、全てのONUにおいて受信信号を正しく受信できないという事態を回避することが可能となる。
【００２１】
上述のように、各チャンネルにおいて、上り信号と下り信号の符号化のために使う符号を違えるためには、チャンネル数分の互いに異なる符号が新たに必要となる。同様の効果は、既に述べたように、上り信号と下り信号の波長を違えるという手段でも実現できるが、光源の波長安定性の確保等のために多くの設備コストが必要となる。それに比べて、チャンネル数分の互いに異なる符号を用意することは、原理的にほとんど新たなコストは発生しないという利点がある。
【００２２】
ただし、互いに異なる符号を多数用意するためには、符号長を長くする必要が出てくるので、できれば、用意すべき符号の数をできる限り増やさない工夫をすることが望ましい。符号長を長くすることによって、送受信のための通信速度を高速化するなどの新たな対策を迫られる可能性があるためである。
【００２３】
すなわち、符号長に比例して符号化して伝送される信号のビットレートは高くなる。ビットレートが高いと、送信距離が長くなることに伴って、伝送路による波長分散によって発生する時間波形の歪みが問題となる。そのため、例えば、伝送路の途中に中継器を置き時間波形の再生をする必要が生じる等、新たな対策を迫られる可能性がある。
【００２４】
そこで、第pチャンネル（pは1からNまでの自然数である。）のONUが具える送信信号処理部に設定する符号と、第qチャンネル（qは1からNまでの自然数である。）のONUに向けた下り信号を符号化して出力する、OLTが具える送信信号処理部に設定する符号と、を等しく設定するのが好適である。このようにすることで、第kチャンネルのONUが具える送信信号処理部に設定する符号と、第kチャンネルのONUに向けた下り信号を符号化して出力するOLTが具える送信信号処理部に設定する符号とが、互いに異なるという上述の条件を満たしつつ、新たな符号は必要とならない。
【００２５】
上述のように、第pチャンネルのONUが具える送信信号処理部に設定する符号と、第qチャンネルのONUに向けた下り信号を符号化して出力するOLTが具える送信信号処理部に設定する符号とを等しく設定すると、次のことが実現される。
【００２６】
すなわち、第1チャンネルの上り及び下り信号を符号化する符号は互いに異なるが、第1チャンネルの下り信号を復号化する符号と第2チャンネルの上り信号を符号化する符号とは同一である。また、第2チャンネルの上り及び下り信号を符号化する符号は互いに異なるが、第2チャンネルの下り信号を復号化する符号と第3チャンネルの上り信号を符号化する符号とは同一である。一般に、第(N−1)チャンネルの上り及び下り信号を符号化する符号は互いに異なるが、第(N−1)チャンネルの下り信号を復号化する符号と第Nチャンネルの上り信号を符号化する符号とは同一である。また、第Nチャンネルの上り及び下り信号を符号化する符号は互いに異なるが、第Nチャンネルの下り信号を復号化する符号と第1チャンネルの上り信号を符号化する符号とは同一である。
【００２７】
このように、必要とされる符号の数（N個）は、ユーザーの数に等しいチャンネル数（N個）と等しくなる。このため、新たな符号を必要としないで、上述の第kチャンネルの上り信号の符号化のために使われる符号と、第kチャンネルの下り信号の符号化のために使われる符号とが異なるという条件を満たすことが可能である。したがって、このように符号を各チャンネルの送信信号処理部に設定することによって、全てのONUにおいて受信信号を正しく受信できないという事態を回避することが可能となる。
【発明を実施するための最良の形態】
【００２８】
以下、図を参照して、この発明の実施の形態につき説明する。なお、各図は、この発明に係る一構成例を示し、この発明が理解できる程度に各構成要素の配置関係等を概略的に示しているに過ぎず、この発明を図示例に限定するものではない。また、以下の説明において、特定の材料および条件等を用いることがあるが、これら材料および条件は好適例の一つに過ぎず、したがって、何らこれらに限定されない。また、各図において同様の構成要素については、同一の番号を付して示し、その重複する説明を省略することもある。また、以下に示す概略的ブロック構成図においては、光ファイバ等の光信号の経路を太線で示し、電気信号の経路を細線で示してある。
【００２９】
＜光アクセスネットワークシステム＞
図1を参照して、光アクセスネットワークシステムの構成及びその動作を説明する。図1は、光アクセスネットワークシステムの概略的ブロック構成図である。図1に示す光アクセスネットワークシステムは、加入者数（ユーザー数）が4である場合、すなわち、光端末装置が4台である場合を想定してあるが、4台にかかわらず何台であっても以下の説明は成立する。
【００３０】
図1においては、複数の光端末装置を識別するために、第1チャンネルを割り当てられた光端末装置をONU-1とし、第4チャンネルを割り当てられた光端末装置をONU-4として表してある。ONU-2及びONU-3は図示を省略してあるが、ONU-1からONU-4のいずれも同一の構成である。以後の光アクセスネットワークシステムの説明において、光端末装置の構造を説明する場合には、光端末装置10と一般的に表記して説明する。
【００３１】
光アクセスネットワークシステムは、事業者側に設置される装置である光回線終端装置100と、ユーザー側に設置される装置である光端末装置（ONU-1からONU-4、以後、光端末装置10と表記する。）との間で符号分割多重による双方向光通信を行う光アクセスネットワークシステムである。光回線終端装置100と光端末装置10とは、光ファイバ伝送路70、光合分岐器66及び複数の分岐光ファイバ伝送路を介して結合されている。
【００３２】
光ファイバ伝送路70は、その一端に光合分岐器66が設けられ、この光ファイバ伝送路70の他端には、光回線終端装置100が結合されている。また、この光ファイバ伝送路70は光合分岐器66によって複数の分岐光ファイバ伝送路に分岐されて、その分岐光ファイバ伝送路それぞれには一つずつ光端末装置が結合される。図1では、ONU-1を接続する光ファイバ伝送路を分岐光ファイバ伝送路74と表記し、ONU-4を接続する光ファイバ伝送路を分岐光ファイバ伝送路76と表記してある。
【００３３】
これら複数の光端末装置のそれぞれ（ONU-1からONU-4）と、光回線終端装置100との間で、符号分割多重による双方向光通信が行われる。
【００３４】
光端末装置10は、光処理部12及び電気処理部14を具えて構成されている。光処理部12は符号化送信信号を電気信号の形態から光信号の形態に変換するための発光素子20、及び符号分割多重信号を光信号の形態から電気信号の形態に変換するための受光素子18を具えている。
【００３５】
電気処理部14は、送信信号を符号化して電気信号の形態の符号化送信信号を生成する送信信号処理部24と、上記受光素子18によって光信号の形態から電気信号の形態に変換された符号分割多重信号を復号化して受信信号を取り出す受信信号処理部22とを具えている。
【００３６】
受信信号処理部22は、符号分割多重信号を復号化するための処理を行う復号化処理回路30を具え、自動利得制御(AGC: Auto Gain Control)素子28、クロック信号再生回路34、分周器38、遅延回路40を具えている。また、送信信号処理部24は、符号化処理回路56及びドライバ60を具えている。ドライバ60には増幅器（AMP: Amplifier）が利用される。
【００３７】
一方、光回線終端装置100も光端末装置10と同様に、光処理部102及び電気処理部104を具えて構成されている。光処理部102は、光端末装置10の光処理部12と同様に、発光素子122と受光素子126とを具えている。また、電気処理部104は、送信信号処理部106、受信信号処理部108及びクロック信号生成回路110を具えている。
【００３８】
送信信号処理部106は、符号化処理回路を並列に具える符号化処理回路列116と、ドライバ120とを具えている。ドライバ120には増幅器が利用される。符号1から符号4と示してある符号化処理回路のそれぞれから出力される送信信号は、電気信号合波器118で合波されてドライバ120に入力される。
【００３９】
また、受信信号処理部108は、復号化処理回路を並列に具える復号化処理回路列132と、自動利得制御素子128とを具えている。自動利得制御素子128から出力される電気信号を電気信号分岐器130で分岐し、復号1から復号4と示してある復号化処理回路のそれぞれに入力されて復号化される。
【００４０】
送信信号処理部106及び受信信号処理部108に、クロック信号生成回路110からクロック信号が供給される。クロック信号生成回路110から供給されるクロック信号は、この光アクセスネットワークシステムの基準となるクロック信号である。光端末装置10では、クロック信号再生回路34によって、受信した符号分割多重信号からこのクロック信号が抽出されて、符号分割多重信号の復号化のために利用される。
【００４１】
図1に示す上述の構成の光アクセスネットワークシステムは、以下に説明するように動作する。
【００４２】
まず、下り信号について第1チャンネルを例にとって説明する。第1チャンネルの下りの送信信号は、この送信信号を符号化する符号化処理回路（後述する第１及び第２実施例では「符号1」と表されている符号化処理回路）に入力され、符号化されて符号化送信電気信号として出力される。符号化送信電気信号は、電気信号合波器118で合波されて符号分割多重電気信号としてドライバ120に入力されて増幅され、増幅された符号分割多重電気信号は、光処理部102が具える発光素子122によって光信号に変換され、符号分割多重光信号として出力される。発光素子122は、例えば、半導体レーザを利用することができる。
【００４３】
符号分割多重光信号は、光カプラ124、光コネクタ72を介して、光ファイバ伝送路70、光コネクタ68、光合分岐器66、光コネクタ61を介して光端末装置10の光処理部12に入力される。光処理部12に入力された符号分割多重光信号は、光処理部12が具える光カプラ16を介して受光素子18に入力され、符号分割多重電気信号に変換されて、光端末装置10の電気処理部14に入力される。受光素子18は、例えば、フォトダイオードを利用することができる。
【００４４】
電気処理部14に入力された符号分割多重電気信号は、電気信号分岐器26によって二分岐されて、一方はクロック信号再生回路34に、もう一方は自動利得制御素子28に入力される。クロック信号再生回路34に入力された符号分割多重電気信号からは、クロック信号が抽出される。また、自動利得制御素子28に入力された符号分割多重電気信号は、その強度にかかわらずこの自動利得制御素子28に設定されている一定の電圧値を持つ符号分割多重電気信号として整えられて、復号化処理回路30に入力される。この一定の電圧値は、復号化処理回路30が具えるアナログマッチドフィルタ44の構成素子であるアナログシフトレジスタの入力レベルに等しい値である。
【００４５】
電圧値を整えられた符号分割多重電気信号は、まず、復号化処理回路30が具えるアナログマッチドフィルタ44によって復号化されて、判定回路46に入力される。判定回路46では、アナログマッチドフィルタ44によって復号化された信号のうち自己相関波形成分のみを抽出して出力する。すなわち、この自己相関波形成分から生成される受信信号が、第1チャンネルのONU-1が受信した信号成分である。
【００４６】
上述したように下り信号、すなわち光回線終端装置100から光端末装置10に向けて伝送される送信信号は、符号化されて多重された符号分割多重光信号として伝送される。そして、光端末装置10において、符号分割多重光信号が符号分割多重電気信号に変換されて復号化される。すなわち、光端末装置10における復号化処理は、いずれも電気信号の状態で実行される。
【００４７】
この発明の光アクセスネットワークシステムの特徴は、送信信号の符号化及び受信信号の復号化を行う電気処理部に特徴があり、以後の説明の大半は電気処理部における動作説明が中心である。この電気処理部の動作説明に必要な信号は符号化送信電気信号あるいは符号分割多重電気信号である。したがって以後の説明では、特に必要な場合を除き、光信号であるか電気信号であるかを区別しない。すなわち、符号分割多重光信号あるいは符号分割多重電気信号が、電気信号であるか光信号であるかを明示せず、符号分割多重信号と表記する。
【００４８】
次に、上り信号について第1チャンネルを例にとって説明する。第1チャンネルの送信信号（図1で、光端末装置10の「送信信号入力」と示してある。）は、光端末装置10の電気処理部14の送信信号処理部24に具えられている符号化処理回路56に入力され、符号化されて符号化送信信号として出力される。符号化送信信号は、ドライバ60に入力されて増幅され、増幅された符号化送信信号は、光処理部12が具える発光素子20によって、光信号に変換される。発光素子20は半導体レーザを利用することができる。
【００４９】
符号化送信信号は、光カプラ16及び光コネクタ61を介して光合分岐器66に入力されて符号分割多重信号となって、光コネクタ68、光ファイバ伝送路70、光コネクタ72を介して光回線終端装置100の光処理部102に入力される。光処理部102に入力された符号分割多重信号は、光処理部102が具える光カプラ124を介して受光素子126に入力され電気信号に変換されて、光回線終端装置100の電気処理部104に入力される。受光素子126はフォトダイオードを利用することができる。
【００５０】
電気処理部104に入力された符号分割多重信号は、受信信号処理部108が具える自動利得制御素子128に入力され、その強度にかかわらずこの自動利得制御素子128に設定されている一定の電圧値を持つ符号化受信電気信号として整えられて、復号化処理回路列132の「復号1」と表されている復号化処理回路に入力される。この復号化処理回路では、光端末装置10が具える復号化処理回路30と同様の処理がなされて、第1チャンネルのONU-1から伝送されてきた信号が生成されて出力される。
【００５１】
＜第1実施例＞
この発明の特徴は、チャンネルごとに、ONUが具える送信信号処理部に設定する符号と、OLTが具える送信信号処理部に設定する符号とが異なる符号となるように符号を選択することにある。図2を参照して、この場合のONUの構成について第1実施例として説明する。図2は、第1実施例のONUの概略的ブロック構成図である。図2は、図1に示す光アクセスネットワークシステムの、ONUの部分の構成を抜き出した図であり、以後の説明に必要となる限度において簡略化して示してある。
【００５２】
図1に示した、電気処理部14は、図2に示す電気処理部14-1から14-4に対応し、光カプラ16は、図2に示す光カプラ16-1から16-4に対応し、受光素子18は、図2に示す受光素子18-1から18-4に対応し、発光素子20は、図2に示す発光素子20-1から20-4に対応し、受信信号処理部22は、図2に示す受信信号処理部22-1から22-4に対応し、送信信号処理部24は、図2に示す送信信号処理部24-1から24-4に対応している。
【００５３】
ONU-1からONU-4はそれぞれ、光コネクタ61、62、63、及び64を介して光合分岐器66と接続されている。ONU-1からONU-4のぞれぞれの電気処理部は、受信信号処理部と送信信号処理部とを具えている。そして、ONU-1の受信信号処理部22-1には符号1が、送信信号処理部24-1には符号2が、それぞれ設定されている。同様に、ONU-2の受信信号処理部22-2には符号3が、送信信号処理部24-2には符号4が、それぞれ設定されており、ONU-3の受信信号処理部22-3には符号5が、送信信号処理部24-3には符号6が、それぞれ設定されており、ONU-4の受信信号処理部22-4には符号7が、送信信号処理部24-4には符号8が、それぞれ設定されている。
【００５４】
一方、図1を参照して既に説明したように、OLT 100にも、ONU-1からONU-4の送信信号処理部のそれぞれに割り当てられた符号と同一の符号が割り当てられた、符号化処理回路を並列に具える符号化処理回路列116と、ONU-1からONU-4の受信信号処理部のそれぞれに割り当てられた符号と同一の符号が割り当てられた復号化処理回路を並列に具える復号化処理回路列132と、自動利得制御素子128とを具えている。
【００５５】
第1チャンネルが割り当てられたONU-1について、上り及び下り信号の処理の流れを説明する。まず下り信号について説明する。OLTからONU-1に向けた第1チャンネルの下り信号は、OLTから符号1で符号化されて符号化送信信号として、他のチャンネルの符号化送信信号と共に符号分割多重されて符号分割多重信号として、ONU-1に送信される。この符号分割多重信号は、ONU-1の電気処理部14-1が具える受信信号処理部22-1において、符号1によって復号化され、ONU-1が受信する第1チャンネルの受信信号が抽出される。ONU-2からONU-4においても、OLTから送られてくる下り信号は、同様に処理される。
【００５６】
OLTからONU-2、3及び4に向けた第2、3及び4チャンネルの下り信号は、OLTから符号3、5及び7でそれぞれ符号化されて符号化送信信号に変換されて、それらが符号分割多重されて符号分割多重信号として、ONU-2、3及び4にそれぞれ送信される。この符号分割多重信号は、ONU-2、3及び4の電気処理部14-2、14-3及び14-4がそれぞれ具える受信信号処理部22-2、22-3及び22-4において、それぞれ符号3、5及び7によって復号化され、ONU-2、3及び4がそれぞれ受信する第2、3及び4チャンネルの受信信号が抽出される。
【００５７】
次に、上り信号について説明する。ONU-1からOLTに向けた第1チャンネルの上り信号は、ONU-1の送信信号処理部24-1で符号2によって符号化されて符号化送信信号として、他のチャンネルの符号化送信信号と共に符号分割多重されて符号分割多重信号として、OLTに送信される。この符号分割多重信号は、OLTの電気処理部104が具える受信信号処理部108において、符号2によって復号化され、OLTが受信する第1チャンネルの受信信号が抽出される。第2から第4チャンネルのそれぞれの上り信号においても、同様に処理される。
【００５８】
ONU-2、3及び4から、それぞれOLTに向けた第2、3及び4チャンネルの上り信号は、符号4、6及び8でそれぞれ符号化されて符号化送信信号に変換されて、それらが符号分割多重されて符号分割多重信号として、OLTに送信される。この符号分割多重信号は、OLTの電気処理部104が具える受信信号処理部108において、符号4、6及び8によって復号化され、それぞれOLTが受信する第2、3及び4チャンネルの受信信号が抽出される。
【００５９】
上述したように、ONU-1が具える受信信号処理部22-1に設定する符号（ここでは「符号1」）と、送信信号処理部24-1に設定する符号（ここでは「符号2」）とが、異なっている。すなわち、第1チャンネルの上り信号の符号化のために使われる符号（ここでは「符号2」）と、第1チャンネルの下り信号の符号化のために使われる符号（ここでは「符号1」）とが異なる。
【００６０】
このため、第1チャンネルにおいて、OLTから送られてくる下り信号（符号1で符号化されている。）に第1チャンネルからOLTに向けて送られる上り信号（符号2で符号化されている。）成分の一部が光コネクタ（ここでは、光コネクタ61）で、反射されて混入しても、上り信号と下り信号とは異なる符号（それぞれ符号2及び符号1）で符号化されているので、この下り信号を第1チャンネルのONU-1で復号化される際には、上り信号成分は復号化されない。
【００６１】
したがって、ONU-1が受信する受信信号に、ONU-1から送信される送信信号の一部が反射雑音として混入しても、この雑音成分のために、ONU-1において受信信号を正しく受信できない、すなわち復号化できないという事態は起こりにくい。第2から第4チャンネルの上り及び下り信号についても同様である。ONU-1、ONU-2、ONU-3及びONU-4、のそれぞれの下り信号に混入する上り信号の一部は、それぞれ光コネクタ61、光コネクタ62、光コネクタ63及び光コネクタ64から反射される。ONU-1には、光コネクタ61以外の光コネクタ、すなわち、ONU-1とは直接接続されていない光コネクタ（光コネクタ62、63及び64）からも僅かに上り信号の一部が反射されるが、途中に光合分岐器66を介しているので、問題となるほどの大きさになることはない。ONU-2、ONU-3及びONU-4のそれぞれにおいても同様である。
【００６２】
上述したように、各ONUにおいて、受信する受信信号に送信する送信信号の一部が反射雑音として混入しても、受信信号を正しく受信できないという事態は起こりにくい。したがって、図１に示す光コネクタ68には、低反射タイプの高価な部品を使用する必要がない。また、同様にOLTにおいても、同一チャンネルの上り信号と下り信号の符号が異なるので、受信する受信信号に送信する送信信号の一部が反射雑音として混入しても、受信信号を正しく受信できないという事態は起こりにくい。このため、図１に示す光コネクタ72にも、低反射タイプの高価な部品を使用する必要がない。
【００６３】
＜第2実施例＞
図3を参照して、チャンネルごとに、ONUが具える送信信号処理部に設定する符号と、OLTが具える送信信号処理部に設定する符号とが異なる符号となるように符号を選択する、上述の第1実施例とは別の選択方法を説明する。
【００６４】
この選択方法では、第1チャンネルのONU-1が具える送信信号処理部24-1に設定する符号を符号2とし、OLTから第2チャンネルのONU-2に向けた下り信号も符号2で符号化して送信する。第2チャンネルのONU-2が具える送信信号処理部24-2に設定する符号を符号3とし、OLTから第3チャンネルのONU-3に向けた下り信号も符号3で符号化して送信する。第3チャンネルのONU-3が具える送信信号処理部24-3に設定する符号を符号4とし、OLTから第4チャンネルのONU-4に向けた下り信号も符号4で符号化して送信する。第4チャンネルのONU-4が具える送信信号処理部24-4に設定する符号を符号1とし、OLTから第1チャンネルのONU-1に向けた下り信号も符号1で符号化して送信する。
【００６５】
このように、第1から第4チャンネルの送受信信号を符号化するための符号を設定することによって、ONU-1が具える受信信号処理部22-1に設定する符号（ここでは「符号1」）と、送信信号処理部24-1に設定する符号（ここでは「符号2」）とが、異なっている。すなわち、第1チャンネルの上り信号の符号化のために使われる符号（ここでは「符号2」）と、第1チャンネルの下り信号の符号化のために使われる符号（ここでは「符号1」）とが異なる。
【００６６】
また、ONU-2が具える受信信号処理部22-2に設定する符号（ここでは「符号2」）と、送信信号処理部24-2に設定する符号（ここでは「符号3」）とが、異なっている。すなわち、第2チャンネルの上り信号の符号化のために使われる符号（ここでは「符号3」）と、第2チャンネルの下り信号の符号化のために使われる符号（ここでは「符号2」）とが異なる。
【００６７】
同様に、第3チャンネルの上り信号の符号化のために使われる符号（ここでは「符号4」）と、第2チャンネルの下り信号の符号化のために使われる符号（ここでは「符号3」）とが異なる。また、第4チャンネルの上り信号の符号化のために使われる符号（ここでは「符号1」）と、第4チャンネルの下り信号の符号化のために使われる符号（ここでは「符号4」）とが異なる。
【００６８】
このため、第1実施例の場合と同様に、受信信号に送信信号の一部が反射雑音として混入しても、この雑音成分のために受信信号を正しく受信できない、すなわち復号化できないという事態は起こりにくい。
【００６９】
上述したように、各ONUにおいて、受信する受信信号に送信する送信信号の一部が反射雑音として混入しても、受信信号を正しく受信できないという事態は起こりにくい。したがって、図１に示す光コネクタ68には、低反射タイプの高価な部品を使用する必要がない。しかしながら、OLT側に設定される光コネクタ72には、低反射タイプの光コネクタを採用する必要がある。これは、送信信号処理部106と受信信号処理部108とでは同一の符号が使われているので、送信信号処理部106からの送信信号の一部が、受信信号処理部108が受信する信号に混入することによって、受信信号を正しく受信できないという事態が起こり得る。
【００７０】
上述したように、センター側の装置であるOLTは1台あればよいので、OLTの前段に設定される光コネクタ72も1台必要となるだけである。したがって、システム全体としての装置コストには大きな影響を与えない。
【００７１】
第2実施例における利点は、新たな符号を必要としないで、上述の第kチャンネルの上り信号の符号化のために使われる符号と、第kチャンネルの下り信号の符号化のために使われる符号とが異なるという条件を満たすことが可能となる点である。
【００７２】
＜符号化処理＞
図4(A1)から(C)を参照して送信信号を符号化する過程について、第1チャンネルを例にとって、説明する。図4(A1)から(C)において、横軸及び縦軸は省略してあるが、横軸の方向は時間軸の方向を示し、縦軸の方向は信号の強度を示している。図4(A1)及び(A2)は、それぞれ第1チャンネルの送信信号及び符号化送信信号を示し、図4(B1)及び(B2)は、それぞれ第2チャンネルの送信信号及び符号化送信信号を示している。そして、図4(C)は、第1チャンネルの符号化送信信号と第2チャンネルの符号化送信信号とが合波された符号分割多重信号の時間波形を示している。図4(A1)から(C)において、信号の0レベルを一点破線で示してある。そして、0レベル以上を「1」とし、0レベル以下を「-1」と表してある。
【００７３】
図4(A1)に示す第1チャンネルの送信信号は、（1, 0, 1,...）である場合を想定しその時間波形を示している。図4(A2)は、符号長が4である（1, 0, 0, 1）で与えられる符号を想定し、この符号によって符号化されて生成された第1チャンネルの符号化送信信号の時間波形を示している。また、図4(B1)に示す第2チャンネルの送信信号は、（1, 1, 0,...）である場合を想定しその時間波形を示している。図4(B2)は、符号長が4である（1, 0, 1, 0）で与えられる符号を想定し、この符号によって符号化されて生成された第2チャンネルの符号化送信信号の時間波形を示している。
【００７４】
ここで、符号を規定する「0」及び「1」からなる数列の項数を符号長ということもある。この例では、符号を規定する数列が（1, 0, 0, 1）あるいは（1, 0, 1, 0）であり、この数列の項数が4であるから符号長は4であることになる。また、符号を与える数列を符号列といい、符号列の各項「0」及び「1」をチップということもある。そして、0及び1そのものを符号値ということもある。送信信号の1ビットに割り当てられる時間幅（時間スロットともいう。）は、送信信号の伝送速度であるビットレートの逆数である。
【００７５】
符号化するにあたっては、送信信号の1ビットに割り当てられる時間スロットに対して、符号を構成する4チップが割り当てられる。すなわち、時間軸上で、送信信号の1ビット内に符号を規定する、数列（1, 0, 0, 1）あるいは（1, 0, 1, 0）に対応する符号化信号が完全に収まるように、時間軸上に配置される。
【００７６】
送信信号を符号長4の符号で符号化するという意味は、送信信号（以後「D」と表すこともある。）と符号化信号（以後「C」と表すこともある。）との積D×Cを求めることに相当する。また、以下の説明において、どのチャンネルに対応するDであるかCであるかを区別する必要があるときは、チャンネル数を添えて示す。例えば第1チャンネルのDで及びCであることをそれぞれD1及びC1と示す。第2チャンネル等についても同様である。
【００７７】
積D×Cを求めるための符号化処理回路には、具体的には、排他的論理和演算EXOR（エクスクルシーブ・オア）ゲートの出力にインバータを接続したゲート回路であるEXNOR（エクスクルシーブ・ノア）回路を用いる。この場合には、1と0との2値信号として表した送信信号及び符号化送信信号等を、1と-1の2値信号に変換する。具体的には、送信信号及び符号化送信信号のバイアス電圧を調整して、これらの信号の振幅の中心を0 Vの水準に変更すればよい。
【００７８】
図4(A1)に示す第1チャンネルの送信信号は、（1, 0, 1,...）であるので、これを1と-1の2値信号に変換すると（1, -1, 1,...）となる。第1チャンネルの送信信号を符号化するために利用する符号は、（1, 0, 0, 1）であるので、これを1と-1の2値信号に変換すると（1, -1, -1, 1）となる。
【００７９】
第1チャンネルの送信信号の第1番目のビットは「1」であり、第2番目のビットは「0」であり、第3番目のビットは「1」である。ここで、第1チャンネルの送信信号が、（1, -1, -1, 1）で与えられる符号で符号化されるとは、第1番目のビットである「1」が（1, -1, -1, 1）で与えられる符号で符号化され、第2番目のビットである「-1」が（1, -1, -1, 1）で与えられる符号で符号化され、第3番目のビットである「1」が（1, -1, -1, 1）で与えられる符号で符号化されることを意味する。図示はしていないが、第4番目以降のビットが符号化されることも同様である。
【００８０】
送信信号Dを符号Cで符号化するということは、積D×Cを求めることに相当するから、送信信号の第1番目のビットである「1」は、(Dの第1番目のビット(1))×C(1, -1, -1, 1）＝（1×1, 1×(-1), 1×(-1), 1×1）＝（1, -1, -1, 1）と符号化される。送信信号の第2番目のビットである「-1」は、(Dの第2番目のビット（-1）)×C(1, -1, -1, 1）＝（(-1)×1, (-1)×(-1), (-1)×(-1), (-1)×1）＝（-1, 1, 1, -1）と符号化される。第3番目のビットについても同様である。したがって、図4(A1)に示す第1チャンネルの送信信号が符号化されて得られる符号化送信信号は、上述の説明のように（（1, -1, -1, 1）,（-1, 1, 1, -1）,（1, -1, -1, 1））＝（1, -1, -1, 1、-1, 1, 1, -1, 1, -1, -1, 1,...）となる。
【００８１】
また、図4(B1)に示す第2チャンネルの送信信号が符号（1, 0, 1, 0）を1と-1の2値信号に変換した（1, -1, 1, -1）で符号化する場合も、上記の第1チャンネルの場合と同様である。送信信号の第1番目のビットである「1」は、(Dの第1番目のビット(1))×C（1, -1, 1, -1）＝（1×1, 1×(-1), 1×1, 1×(-1）＝（1, -1, 1, -1）と符号化される。送信信号の第2番目のビットも「1」であるからDの第2番目のビットも（1, -1, 1, -1）と符号化される。
【００８２】
第3番目のビットは「-1」であるから(Dの第3番目のビット(-1))×C（1, -1, 1、-1）＝（(-1)×1, (-1)×(-1), (-1)×1, (-1)×(-1）＝（-1, 1, -1, 1）と符号化される。したがって、図4(B1)に示す第2チャンネルの送信信号が符号化されて得られる符号化送信信号は、上述の説明のように（（1, -1, 1, -1）,（1, -1, 1, -1）,（-1, 1, -1, 1））＝（1, -1, 1, -1, 1, -1, 1, -1, -1, 1, -1, 1,...）となる。
【００８３】
第1チャンネルの符号化送信信号（1, -1, -1, 1, -1, 1, 1, -1, 1, -1, -1, 1,...）と第2チャンネルの符号化送信信号（1, -1, 1, -1, 1, -1, 1, -1, -1, 1, -1, 1,...）との和で与えられる符号分割多重信号は、（1+1, -1-1, -1+1, 1-1, -1+1, 1-1, 1+1、-1-1, 1-1, -1+1, -1-1, 1+1）＝（+2, -2, 0, 0, 0, 0, 2, -2, 0, 0, -2, 2）となり、図4(C)にこの符号分割多重信号の時間波形を示す。
【００８４】
図4(C)に示す符号分割多重信号が、光信号に変換されて光ファイバ伝送路を伝送する。光回線終端装置あるいは光端末装置によって受信されると、再び電気信号に変換されて復号化されて受信信号が抽出される。したがって、図4(C)に示す符号分割多重信号の時間波形の振幅の絶対値は本質的な意味を持っていない。したがって、図4(C)に示す符号分割多重信号は、振幅の最大値と最小値の中心を0レベルに設定して、振幅の値を1に規格化して（+1, -1, 0, 0, 0, 0, 1, -1, 0, 0, -1, 1）と表現しても同一の意味を持つ。
【００８５】
＜復号化処理＞
図5(A)から(D)を参照して符号分割多重信号を復号化する過程について、第1チャンネルを例にとって、説明する。図5(A)及び(B)において、横軸は時間軸の方向を示し、縦軸は省略してあるが縦軸の方向は信号の強度を示している。図5(A)は、符号化処理回路が具えるアナログマッチドフィルタに入力される符号分割多重信号の時間波形を示す。上述の図4(C)に示す符号分割多重信号の振幅の最大値と最小値の中心を0レベルに設定し、振幅の値を1に規格化して示してある。図5(B)は、アナログマッチドフィルタで復号化されて出力される信号の時間波形を示している。図5(B)の横軸は時間軸の方向を示す。アナログマッチドフィルタから出力される信号は、後述するように、受信したチャンネルの光端末装置の受信信号成分である自己相関波形成分と、受信したチャンネルの光端末装置以外が受信する相互相関波形成分との和となっている。すなわち、相互相関波形成分は、雑音成分になる。
【００８６】
図5(C1)は、判定回路で閾値判定がなされて出力された信号の時間波形を示す。図5(C2)は、図5(C1)に示す信号をラッチするためのクロック信号の時間波形を示す。また、図5(D)は、図5(C1)に示す閾値判定がなされて出力された信号を図5(C2)に示すクロック信号でラッチして得られる信号の時間波形を示す。この図5(D)に示す信号が受信信号である。図5(C1)、(C2)及び(D)の横軸及び縦軸は省略してあるが、横軸の方向が時間軸の方向を示し、縦軸の方向が信号の強度を示してある。また、信号の0レベルを一点破線で示してある。
【００８７】
アナログマッチドフィルタから出力された信号を判定処理する判定回路は、図1に示す復号化処理回路30が具える判定回路46が相当する。また、図1では、図5(C1)に示す判定処理がなされて出力された信号を、図5(C2)に示すクロック信号でラッチするためのラッチ回路も含めて、判定回路46と示してあり、ラッチ回路そのものは図示を省略してある。
【００８８】
送信信号を符号化するという意味は、上述したように送信信号Dと符号化信号Cとの積D×Cを求めることに相当する。一方、符号化されて送信されてきた符号分割多重信号を受信して、この符号分割多重信号を復号化することは、符号分割多重信号を再度同一の符号で符号化することに対応する。
【００８９】
符号分割多重信号は、第1チャンネルの符号化送信信号（D1×C1）、第2チャンネルの符号化送信信号（D2×C2）、第3チャンネルの符号化送信信号（D3×C3）等、多重される全ての符号化送信信号の和となっている。したがって、符号分割多重信号は、（D1×C1）+（D2×C2）+（D3×C3）+....で表される。この符号分割多重信号を第1チャンネルに割り当てられた符号C1で復号化するとは、{（D1×C1）+（D2×C2）+（D3×C3）+....}×C1を求めること、すなわち符号分割多重信号を符号C1で符号化することに相当する。
【００９０】
すなわち、アナログマッチドフィルタで復号化されて出力される信号の時間波形は、{（D1×C1）+（D2×C2）+（D3×C3）+....}×C1＝(D1×C1)×C1+(D2×C2)×C1+(D3×C3)×C1+....＝D1×C12+ (D2×C2×C1) + (D3×C3×C1) + ....を反映した信号である。ここで、C12＝1である。なぜならば、同一符号の積であるから、両者の符号を構成するチップは全て同一の値、すなわち「1」あるいは「-1」である。すなわち、C12の演算を符号のチップごとに見ると、1×1＝1あるいは(-1)×(-1)＝1と必ず「１」となるからである。したがって、上述したアナログマッチドフィルタで復号化されて出力される信号の時間波形を表す第1項D1×C12は、D1となり、第1チャンネルの送信信号を構成する各ビットのパルスD1が再生される。すなわち、この成分がアナログマッチドフィルタで復号化されて出力される信号の、第1チャンネルの送信信号に対する自己相関波形成分に相当する。
【００９１】
一方、上述したアナログマッチドフィルタで復号化されて出力される信号の時間波形を表す第2項以下の項は、C1×Ci≠1（ここで、i＝2, 3,...である。）であるので、(D2×C2)×C1及び(D3×C3)×C1の項からは、第2、第3チャンネルの送信信号を構成する各ビットのパルスD2及びD3は再生されない。すなわち、これらの成分がアナログマッチドフィルタで復号化されて出力される信号の、第1チャンネルの送信信号に対する相互相関波形成分に相当する。
【００９２】
以上説明したように、アナログマッチドフィルタによれば、符号分割多重信号を復号化して、自己相関波形成分を再生することが可能である。図5(B)において、時間軸上に示すパルス成分（図5(B)でP及びQで示してある。）が自己相関波形成分である。また、相互相関波形成分は、時間軸を挟んで上下に示す破線の間に収まる雑音成分である。図5(B)では、相互相関波形成分はその形状が極めて複雑であるので、その最大値と最小値のレベルを、時間軸を挟んで上下に示す破線で示し、その詳細な形状は省略してある。
【００９３】
図5(B)に示すアナログマッチドフィルタで復号化されて出力される信号の時間波形を、判定回路で処理して自己相関波形成分のみが抽出されて出力された信号が図5(C1)に示されている。図5(C1)に示されている信号が図5(C2)に示されているクロック信号によってラッチされて、図5(D)に示す受信信号が得られる。
【００９４】
次に、判定回路でのラッチ処理の内容を、図5(C1)、(C2)及び(D)を参照して説明する。ラッチ処理を行うためのラッチ回路には、周知のDフリップフロップ回路等を利用することができるので、ラッチ回路そのものの説明は省略する。この実施例では、Dフリップフロップ回路として、MC100LVEL31（ON semiconductor社製）を利用した。
【００９５】
図5(C1)に示す時間波形は、後述するように閾値処理回路によって、図5(B)に示すアナログマッチドフィルタで復号化されて出力された信号を処理して生成される。すなわち、閾値処理回路は、図5(B)に示すアナログ復号化信号を、図5(C1)に示すデジタル復号化信号に変換する役割を果たす。したがって、図5(C1)に示す時間波形は、図5(B)に示す復号化されて出力された信号の自己相関波形成分に対応して矩形波（矩形パルス）が現れるのが特徴である。この矩形パルスの振幅の大きさは、閾値処理回路によって規定され、図5(C1)に現れている矩形パルス全ての振幅の大きさは一定である。図5(C1)ではこの矩形パルスの一例を、a、bをそれぞれ付した2本の下向きの矢印で挟んで示してある。閾値処理回路には、周知のコンパレータから好適なものを適宜選択して利用できる。この実施例では、MAX9600（MAXIM Integrated Products社製）を利用した。
【００９６】
図5(C1)に示すデジタル復号化信号と図5(C2)に示すクロック信号とが、ラッチ回路として機能するDフリップフロップ回路に入力されると、次のような処理が行われて、図5(D)に示す受信信号が得られる。
【００９７】
図5(C2)に示すクロック信号の立ち上がりの瞬間（例えば、図5(C2)にXと示してある瞬間）が、デジタル復号化信号の自己相関波形のピークに対応する矩形パルス（例えば、図5(C2)にa、bをそれぞれ付した2本の下向きの矢印で挟んで示してある。）が存在している場合には、Dフリップフロップ回路の出力端子から「1」に相当する強度の信号が出力され始める。そして、再びクロック信号の次の立ち上がりの瞬間（図5(C2)にYと示してある瞬間）まで、Dフリップフロップ回路の出力端子から「1」に相当する強度の信号が出力され続け、この瞬間にDフリップフロップ回路の出力端子から「-1」に相当する強度の信号に変化する。
【００９８】
同様に、次にDフリップフロップ回路の出力端子から「1」に相当する強度の信号が出力され始めるのは、図5(C2)にZと示すクロック信号の立ち上がりの瞬間である。そして、Dフリップフロップ回路の出力端子からの出力信号が「-1」に相当する強度の信号に変化するのは、再びクロック信号が立ち上がる瞬間である（この瞬間は、図5(C2)から外れている。）。
【００９９】
以上説明したように、デジタル復号化信号の自己相関波形のピークに対応する矩形パルスの存在時間内に、クロック信号の立ち上がり信号がDフリップフロップ回路に入力されると、図5(D)に示す受信信号の「1」に相当する強度の矩形パルスが生成される。一方、デジタル復号化信号の自己相関波形のピークに対応する矩形パルスの存在時間外に、クロック信号の立ち上がり信号がDフリップフロップ回路に入力された場合には、Dフリップフロップ回路の出力端子からは「-1」に相当する信号が出力されたままである。
【０１００】
このように、クロック信号の立ち上がりの瞬間にデジタル復号化信号の自己相関波形のピークに対応する矩形パルスが存在するか否かに対応して、Dフリップフロップ回路の出力端子からは「1」に相当する信号が出力されたり、「-1」に相当する信号が出力されたりする。このことによって、受信信号が再生される。図5(D)に示す受信信号は、図4(A1)に示す送信信号（1, -1, 1,...）の一部である（1, -1, 1,...）の部分が再生されたものとなっている。図5(D)で（1, -1, 1,...）に相当する部分を明示するために、信号の値である「1」及び「-1」を括弧で括って示してある。
【０１０１】
上述の説明から明らかなように、クロック信号の立ち上がりの瞬間にデジタル復号化信号の自己相関波形のピークに対応する矩形パルスが存在していなければ、図5(D)に示す受信信号を生成することができない。したがって、必ず図5(C1)に示すデジタル復号化信号と図5(C2)に示すクロック信号との時間軸上での相対的な位置関係を調整する必要がある。両者の相対的な位置関係の調整について、図1を参照して説明する。
【０１０２】
受光素子18から出力される符号分割多重信号は、電気信号分岐器26によって分岐されて、分岐された一方がクロック信号再生回路34に入力されて、伝送レート周波数のクロック信号が再生され出力される。この伝送レート周波数のクロック信号は、電気信号分岐器36で分岐されて、分岐された一方が分周器38に入力されて、ベースレート周波数のクロック信号に変換されて出力される。ここで、伝送レート周波数とは、符号分割多重信号のビットレートに対応する周波数を指し、ベースレート周波数とは、個々のチャンネルの送信信号のビットレートに対応する周波数を指す。すなわち、伝送レート周波数をチャンネル数で除した周波数が、ベースレート周波数となる。
【０１０３】
分周器38から出力されるクロック信号は、遅延回路40に入力されて、その位相が調整されて出力される。遅延回路40から出力されたクロック信号が図5(C2)に示されている。すなわち、遅延回路40によって、図5(C2)に示されているクロック信号の時間軸上での位置を調整することができる。この調整は、手動で行ってもかまわないが、自動的に行うことも可能である。この調整を自動化するための一手段は、公開特許公報（特開2005−33544号公報）に開示されている。
【０１０４】
ここで、図5(B)に示したアナログマッチドフィルタで復号化されて出力される信号の時間波形に含まれる雑音成分について説明する。図1に示す光アクセスネットワークシステムの光端末装置10では、送信信号処理部24からは送信信号が出力され、一方、受信信号処理部22には受信信号が入力される。ここで、各チャンネルには、符号化するための符号及び復号化するための符号が割り当てられている。そしてこれらの符号は同一のものが使われると、光伝送路に設けられる光合分岐器66との接続のための光コネクタ61において発生する反射雑音が、受信信号処理部に入力される受信信号に混入するという問題が発生する。
【０１０５】
この反射雑音の受信信号への混入のメカニズムを、図6を参照して説明する。図6は、光コネクタからの反射光が受信信号処理部に混入する様子の説明に供する図である。図6では、反射雑音の受信信号への混入のメカニズムの説明に必要な部分だけを図1から抜き出して示してある。送信信号は発光素子20から出力されて光カプラ16のポート3から入力され、ポート1から出力されて光コネクタ61に入力される。光コネクタ61からは、送信信号の一部が反射されて光カプラ16のポート1に入力される。この反射された送信信号は、光カプラ16のポート2から出力されて受光素子18に入力される。
【０１０６】
したがって、受光素子18には、光カプラ16のポート1から入力されてポート2から出力される受信信号aと、光コネクタ61から反射された送信信号の一部bの両方が入力される。この送信信号の一部bは、主に、光カプラ16のポート3から入力されてポート1から出力された送信信号が光コネクタ61から反射され、再びポート1に入力されて、ポート2から出力されたものである。
【０１０７】
図7(A)及び(B)を参照して、受信信号と反射された送信信号が混入した信号を復号化した場合について説明する。図7(A)及び(B)は、受信信号と反射された送信信号が混入した信号を復号化した信号の時間波形を示す図である。横軸は時間軸の方向を示し、縦軸は省略してあるが、縦軸の方向に信号強度を示している。
【０１０８】
図7(A)は、同一チャンネルにおいて、ONUで送信信号を符号化する符号と、OLTからONUへの送信信号、すなわち、ONUでの受信信号を符号化する符号とが等しい場合に、この受信信号と反射された送信信号が混入した信号を復号化して得られる時間波形を示している。図7(B)は、同一チャンネルにおいて、ONUで送信信号を符号化する符号と、OLTでONUへの送信信号、すなわち、ONUでの受信信号を符号化する符号とが異なる場合に、この受信信号と反射された送信信号が混入した信号を、OLTで受信信号を符号化する符号と同一の符号で復号化して得られる時間波形を示している。
【０１０９】
図7(A)において、受信信号の自己相関波形成分のピークをc1で表し、送信信号（光コネクタで反射した成分）の自己相関波形成分のピークをc2で表してある。また、図7(B)において、受信信号の自己相関波形成分のピークをcで表し、送信信号（光コネクタで反射した成分）の相互相関波形成分のピークをrで表してある。
【０１１０】
図7(A)及び(B)において、共通して2本の時間軸に平行な破線によって、送信信号（光コネクタで反射した成分）の相互相関波形成分のピーク値の絶対値に等しい幅で、時間軸を挟んで示してある。
【０１１１】
図7(A)に示す、同一チャンネルにおいて、ONUで送信信号を符号化する符号と、OLTでONUへの送信信号、すなわち、ONUでの受信信号を符号化する符号とが等しい場合には、受信信号の自己相関波形のピーク（c1で表してある。）と送信信号の自己相関波形のピーク（c2で表してある。）が重なり、両者のピーク値の差が、正味の信号成分となり、図7(A)においてS1で示してある。この場合のS/N比を与えるNの値は、送信信号の自己相関波形のピーク値であり、図7(A)においてN1で示してある。
【０１１２】
一方、図7(B)に示す、同一チャンネルにおいて、ONUで送信信号を符号化する符号と、OLTでONUへの送信信号、すなわち、ONUでの受信信号を符号化する符号とが異なる場合には、自己相関波形のピーク（cで表してある。）値と受信信号の相互相関波形成分のピーク（rで表してある。）値との差が、正味の信号成分となり、図7(B)においてS2で示してある。この場合のS/N比を与えるNの値は、受信信号の相互相関波形成分のピーク値であり、図7(B)においてN2で示してある。
【０１１３】
図7(A)及び(B)に示すように、2本の時間軸に平行な破線を基準としてみると、S1＜S2であり、N1＞N2であるから、図7(B)に示す同一チャンネルにおいて、ONUで送信信号を符号化する符号と、OLTでONUへの送信信号、すなわち、ONUでの受信信号を符号化する符号とが異なる場合のS/N比S2/N2の方が、図7(A)に示す同一チャンネルにおいて、ONUで送信信号を符号化する符号と、OLTでONUへの送信信号、すなわち、ONUでの受信信号を符号化する符号とが等しい場合のS/N比S1/N1より大きい。すなわち、(S2/N2)＞(S1/N1)である。したがって、同一チャンネルにおいて、ONUで送信信号を符号化する符号と、OLTでONUへの送信信号、すなわち、ONUでの受信信号を符号化する符号とを異なる符号とすることによって、S/N比を大きくすることができることから、このように両者の符号を異なるように設定することが好適であるといえる。
【０１１４】
＜アナログマッチドフィルタ＞
この発明の光アクセスネットワークシステムでは、符号分割多重信号をアナログマッチドフィルタによって復号化する。そこで、図8(A)及び(B)を参照して、アナログマッチドフィルタの構成及びその動作について説明する。
【０１１５】
図8(A)及び(B)は、アナログマッチドフィルタの概略的ブロック構成図である。アナログマッチドフィルタは、アナログシフトレジスタ140と、プラス信号用加算器142と、マイナス信号用加算器144と、このプラス信号用加算器142及びこのマイナス信号用加算器144からそれぞれ出力された出力信号を加算するアナログ加算器146と、ローパスフィルタ148とを具えている。プラス信号用加算器142及びマイナス信号用加算器144は、それぞれ増幅器150及び反転増幅器152を具えている。増幅器150及び反転増幅器152は、その周辺回路を省略して示してある。
【０１１６】
データ入力と示す入力端子には、自動利得制御素子28から出力される符号分割多重信号が入力される。また、クロック入力と示す入力端子には、電気信号分岐器36で分岐された伝送レート周波数のクロック信号が入力される。
【０１１７】
図8(A)に示すアナログマッチドフィルタは、数列（1, 0, 0, 1）で与えられる符号によって復号することを想定して設計されている。すなわち第1実施例の第1チャンネルに割り当てられた符号によって復号することを想定してある。数列（1, 0, 0, 1）で与えられる符号は、「1」と「-1」の2値表示すると数列（1, -1, -1, 1）で与えられる符号といってもよい。
【０１１８】
ここでは、簡単のために、まず符号分割多重信号のうち、第1チャンネルの成分のみを取り上げて、説明する。符号分割多重信号には、第1チャンネル以外のチャンネルの符号化された送信信号も混入しているが、これらは、第1チャンネルに割り当てられた符号とは別の符号で符号化されているので、再生されない。
【０１１９】
図4(A2)に示された第1チャンネルの符号化送信信号が、アナログマッチドフィルタによって、図4(A1)に示された時間波形を持つ第1チャンネルの送信信号と同一の時間波形である受信信号として再生されることについて説明する。
【０１２０】
アナログシフトレジスタ140としては、4段（入力側から順に1, 2, 3, 4と示してある。）の電荷結合型素子CCD（Charge Coupled Device）によって形成されるシフトレジスタ（以後、「CCDシフトレジスタ」という。）が使われる。すなわち、アナログシフトレジスタ140は、4ビットのCCDシフトレジスタである。第1実施例では、チップ数が4の符号（符号長が4である符号）によって符号化する場合を想定しているので、4段のCCDシフトレジスタが使われる。実際には、チップ数が16あるいは32の符号等、符号長が長い符号が使われるので、16あるいは32段のCCDシフトレジスタ等段数の多いCCDシフトレジスタが使われるが、以下に説明する原理は同様である。
【０１２１】
CCDシフトレジスタ140のクロック入力端子には、伝送レート周波数のクロック信号が入力される。また、CCDシフトレジスタ140のデータ入力端子には、符号分割多重信号（図4(A2)に示す符号化送信信号）が入力される。図8(A)及び(B)に示すCCDシフトレジスタ140の第1段の入力端子をD1、出力端子をQ1、と示してある。また、第2、第3及び第4段の入力端子を、それぞれD2、D3、D4と示し、出力端子を、それぞれQ2、Q3、Q4と示してある。CCDシフトレジスタ140のデータ入力端子は、第1段の入力端子D1に接続されている。
【０１２２】
図8(A)を参照して、符号（1, -1, -1, 1）で符号化された第1チャンネルの符号分割多重信号が復号化される原理を説明する。
【０１２３】
まず、CCDシフトレジスタの第1段のデータ入力端子D1に、符号分割多重信号、すなわち、ここでは、図4(A2)に示された第1チャンネルの符号化送信信号の「1」（図4(A2)のCS1と示された時間スロットが1になっている。）が入力されると、クロック信号に同期して、第1段の出力端子Q1からは「1」が出力される。次に、第1段のデータ入力端子D1に第1チャンネルの符号化送信信号の「-1」（図4(A2)のCS2と示された時間スロットが−1になっている。）が入力されると、クロック信号に同期して第1段の出力端子Q1からは「-1」が出力され第2段の出力端子Q2からは「1」が出力される。このように次々とCS3と示された時間スロット、CS4と示された時間スロットの信号が第１段のデータ入力端子D1に入力されると、クロック信号に同期して、第1段から第4段の出力端子からは、先に出力された信号が1段ずつずれて出力される。
【０１２４】
符号化送信信号の、ちょうどCS1からCS4までの時間スロットに存在するチップが全てアナログシフトレジスタ140のデータ入力端子から入力された段階で、第1段から第4段のそれぞれの出力端子、Q1、Q2、Q3及びQ4の出力端子からの出力値（Q1、Q2、Q3、Q4）は、（1,-1,-1, 1）となる。すなわち、第1段から第4段のそれぞれの出力値である（Q1, Q2, Q3, Q4）は、アナログシフトレジスタ140にF、G、H、Iと示す位置における電圧値として現れる。
【０１２５】
位置Fの電圧値と位置Iの電圧値とは、プラス信号用加算器142に入力され、電気信号合波器154で合波されて増幅器150に入力されて、位置Fの電圧値と位置Iの電圧値との和に相当する信号となって出力される。一方、位置Gの電圧値と位置Hの電圧値とは、マイナス信号用加算器144に入力され、電気信号合波器156で合波されて反転増幅器152に入力されて、位置Gの電圧値と位置Hの電圧値との和に相当する電圧値（負の値である。）が正の電圧値に変換されて出力される。
【０１２６】
増幅器150からの出力信号と反転増幅器152からの出力信号とは、アナログ加算器146で合波されて、ローパルフィルタ148に入力される。
【０１２７】
ローパスフィルタ148は、アナログ加算器146から出力される信号のうち、ベースレート周波数の信号を濾しとって、高周波の雑音成分を遮断する役割を果たす。
【０１２８】
符号化送信信号の、ちょうどCS1からCS4までの時間スロットに存在するチップが全てアナログシフトレジスタ140のデータ入力端子から入力された段階でQ1、Q2、Q3及びQ4の出力端子からの出力値（Q1, Q2, Q3, Q4）が（1, -1, -1, 1）となるので、電気信号合波器154では、F及びIの位置での電位である電位1と電位1とが入力されて、電位2となって増幅器150に入力される。また、電気信号合波器156には、G及びHの位置での電位である電位-1と電位−1とが入力されて、電位−2となって反転増幅器152に入力される。
【０１２９】
したがって、増幅器150からは電位2に比例する電位（ここでは、簡単のため増幅率を1とする。）の信号が出力され、反転増幅器152からは、電位-2が反転（ここでは、簡単のため増幅率を-1とする。）された電位2の信号が出力され、両者はアナログ加算器146で合波されて、電位4である信号として、ローパスフィルタ148を介して、CCDシフトレジスタ140のデータ出力端子から出力される。
【０１３０】
CCDシフトレジスタ140の出力値（Q1, Q2, Q3, Q4）が次に（1, -1, -1, 1）となるのは、CS9からCS12までの時間スロットに存在するチップが全てアナログシフトレジスタ140のデータ入力端子から入力された段階である。このときも同様にCCDシフトレジスタ140のデータ出力端子から、電位4である信号が出力される。
【０１３１】
CCDシフトレジスタ140の出力値（Q1, Q2, Q3, Q4）が（1, -1, -1, 1）とは異なる出力となっているときは、CCDシフトレジスタ140のデータ出力端子から電位4以上の信号が出力されることはなく、必ず電位4未満である。これは、CCDシフトレジスタ140の出力値（Q1, Q2, Q3, Q4）が（1,-1, -1, 1）とは異なる、例えば（-1, -1, 1, 1）等の状態となる場合を、上記の説明と同様に検討すれば明らかである。
【０１３２】
次に、図8(B)を参照して、符号（1, -1, 1, -1）で符号化された第2チャンネルの符号分割多重信号が復号化される原理を説明する。図8(A)に示したアナログマッチドフィルタと図8(B)に示すアナログマッチドフィルタとの相違は、増幅器150と反転増幅器152に入力する信号を、F、G、H、Iのいずれの位置から取り出すかの相違である。図8(A)に示したアナログマッチドフィルタでは、増幅器150への入力信号をF及びIの位置から取り出し、反転増幅器152への入力信号をG及びHの位置から取り出している。これに対して、図8(B)に示したアナログマッチドフィルタでは、増幅器150への入力信号をG及びIの位置から取り出し、反転増幅器152への入力信号をF及びHの位置から取り出している。このように、増幅器150と反転増幅器152に入力する信号をF、G、H、Iのいずれから取り出すかによって、符号長が4である任意の符号を設定することができる。
【０１３３】
符号分割多重信号には、第2チャンネル以外のチャンネルの符号化された送信信号も混入しているが、これらは、第2チャンネルに割り当てられた符号とは別の符号で符号化されているので、再生されない。
【０１３４】
図4(B2)に示された第2チャンネルの符号化送信信号が、アナログマッチドフィルタによって、図4(B1)に示された時間波形を持つ第2チャンネルの送信信号と同一の時間波形である受信信号として再生されることについて説明する。図8(B)に示したアナログマッチドフィルタにおいても、復号化の動作は基本的に図8(A)に示したアナログマッチドフィルタと同様である。
【０１３５】
まず、CCDシフトレジスタの第1段のデータ入力端子D1に、符号分割多重信号、すなわち、ここでは、図4(B2)に示された第2チャンネルの符号化送信信号の「1」（図4(B2)のCS1と示された時間スロットが1になっている。）が入力されると、クロック信号に同期して、第1段の出力端子Q1からは「1」が出力される。次に、第1段のデータ入力端子D1に第2チャンネルの符号化送信信号の「-1」（図4(B2)のCS2と示された時間スロットが−1になっている。）が入力されると、クロック信号に同期して第1段の出力端子Q1からは「-1」が出力され第2段の出力端子Q2からは「1」が出力される。このように次々とCS3と示された時間スロット、CS4と示された時間スロットの信号が第１段のデータ入力端子D1に入力されると、クロック信号に同期して、第1段から第4段の出力端子からは、先に出力された信号が1段ずつずれて出力される。
【０１３６】
符号化送信信号の、ちょうどCS1からCS4までの時間スロットに存在するチップが全てアナログシフトレジスタ140のデータ入力端子から入力された段階で、第1段から第4段のそれぞれの出力端子、Q1、Q2、Q3及びQ4の出力端子からの出力値（Q1, Q2, Q3, Q4）は、（-1, 1, -1, 1）となる。すなわち、第1段から第4段のそれぞれの出力地である（Q1, Q2, Q3, Q4）は、アナログシフトレジスタ140にF、G、H、Iと示す位置における電圧値として現れる。
【０１３７】
位置Gの電圧値と位置Iの電圧値とは、プラス信号用加算器142に入力され、電気信号合波器154で合波されて増幅器150に入力されて、位置Gの電圧値と位置Iの電圧値との和に相当する信号となって出力される。一方、位置Fの電圧値と位置Hの電圧値とは、マイナス信号用加算器144に入力され、電気信号合波器156で合波されて反転増幅器152に入力されて、位置Fの電圧値と位置Hの電圧値との和に相当する電圧値（負の値である。）を正の電圧値に変換されて出力される。
【０１３８】
増幅器150からの出力信号と反転増幅器152からの出力信号とは、アナログ加算器146で合波されて、ローパルフィルタ148に入力される。
【０１３９】
符号化送信信号の、ちょうどCS1からCS4までの時間スロットに存在するチップが全てアナログシフトレジスタ140のデータ入力端子から入力された段階でQ1、Q2、Q3及びQ4の出力端子からの出力値（Q1, Q2, Q3, Q4）が（-1, 1, -1, 1）となるので、電気信号合波器154では、G及びIの位置での電位である電位1と電位1とが入力されて、電位2となって増幅器150に入力される。また、電気信号合波器156には、F及びHの位置での電位である電位-1と電位−1とが入力されて、電位−2となって反転増幅器152に入力される。
【０１４０】
したがって、増幅器150からは電位2に比例する電位の信号が出力され、反転増幅器152からは、電位-2が反転された電位2の信号が出力され、両者はアナログ加算器146で合波されて、電位4である信号として、ローパスフィルタ148を介して、CCDシフトレジスタ140のデータ出力端子から出力される。
【０１４１】
CCDシフトレジスタ140の出力値（Q1, Q2, Q3, Q4）が次に（-1, 1, -1, 1）となるのは、CS5からCS8までの時間スロットに存在するチップが全てアナログシフトレジスタ140のデータ入力端子から入力された段階である。このときも同様にCCDシフトレジスタ140のデータ出力端子から、電位4である信号が出力される。
【０１４２】
CCDシフトレジスタ140の出力値（Q1, Q2, Q3, Q4）が（-1, 1, -1, 1）とは異なる出力となっているときは、CCDシフトレジスタ140のデータ出力端子から電位4以上の信号が出力されることはなく、必ず電位4未満である。
【０１４３】
以上説明したように、CCDシフトレジスタ140の出力値（Q1, Q2, Q3, Q4）が、設定された符号と一致した場合のみ、CCDシフトレジスタ140のデータ出力端子から、電位4である信号が出力される。これが、自己相関波形に相当する信号である。例えば、図5(B)に示した、第1チャンネルの符号化送信信号を復号化されて得られた信号の時間波形では、P及びQとして示されているピークは、CCDシフトレジスタ140のデータ出力端子から、電位4である信号が出力された瞬間に現れたピークである。
【０１４４】
＜判定回路＞
図9(A)から(C)を参照して、判定回路の構成及びその動作について説明する。図9(A)は、判定回路の概略的ブロック構成図であり、図9(B)は、アナログマッチドフィルタから出力された復号化された信号の時間波形を示している。また、図9(C)は、閾値判定がなされて出力された信号の時間波形を示している。図9(B)及び(C)において、横軸の方向は時間を任意スケールで示し、縦軸は省略してあるが縦軸方向に信号強度を任意スケールで示してある。
【０１４５】
図9(B)に示す時間波形は、図5(B)に示した、アナログマッチドフィルタで復号化されて出力される信号の時間波形に相当する。図9(B)と図5(B)とは、見かけ上異なるが、それぞれの図は説明の便宜のために抽象化して示しており、現実の信号の時間波形は、図9(B)に近い。
【０１４６】
判定回路は、コンパレータ42とDフリップフロップ回路52とを具えて構成される。判定回路のアナログデータ入力端子からコンパレータ42の入力端子(IN)に図9(B)に示すアナログマッチドフィルタから出力された復号化された信号を入力する。一方閾値レベル入力端子(REF)からは、閾値として設定する電位の信号を入力する。この電位は、図9(B)に閾値と表記されている電位に相当する。
【０１４７】
コンパレータ42の出力端子(OUT)からは、入力端子(IN)から入力された信号のレベルが閾値を超えている場合には、1に相当する電位の信号が出力される。一方入力端子(IN)から入力された信号のレベルが閾値を下回っている場合には、0に相当する電位の信号が出力される。したがって、コンパレータ42の出力端子（OUT）から出力される信号の時間波形は、図9(C)に示す時間波形となる。図9(C)に示す時間波形が、上述した図5(C1)に示した時間波形と対応する。
【０１４８】
図9(C)に示す時間波形の信号が、Dフリップフロップ回路52の入力端子(D)に入力される。一方Dフリップフロップ回路52のクロック信号入力端子(CLK)には、クロック信号が入力される。クロック信号入力端子(CLK)に入力されるクロック信号は、図5(C2)に示すクロック信号である。すなわち、このクロック信号によって、入力端子(D)に入力される閾値判定がなされて出力された信号をラッチすることになる。ラッチ動作の原理については既に説明したので、ここでは繰り返さない。
【０１４９】
図5(C1)では、矩形パルスの幅を等しく表してあるが、実際には、図9(C)に示す時間波形のように、矩形パルスの幅は等しくない。しかしながら、この矩形パルスの幅の範囲内に、クロック信号の立ち上がりの瞬間が含まれればよいので、この矩形パルスの幅は、必ずしも等しい必要はない。ただし、クロック信号入力端子(CLK)に入力されるクロック信号の立ち上がりの瞬間が、図9(C)に示す矩形パルスの幅（W1及びW2）の範囲内に収まるように、遅延回路40によってクロック信号の時間軸上での位置を調整する必要がある。
【０１５０】
＜第3実施例＞
図10を参照して、第3実施例の光アクセスネットワークシステムの構成及びその動作を説明する。図10は、第3実施例の光アクセスネットワークシステムの概略的ブロック構成図である。第3実施例においては、加入者数が16である場合を想定してある。第1及び第2実施例の光アクセスネットワークシステムと異なる点は、第1及び第2実施例の光アクセスネットワークシステムでは、送受信に使われる信号の波長が一種類のみであったのに対して、第3実施例の光アクセスネットワークシステムでは、4種類の波長を信号の波長として利用する、いわゆるWDMシステムとなっていることである。
【０１５１】
したがって、信号の波長がλ1で送受信が行われる部分についての構成は、第1実施例の光アクセスネットワークシステムと同一である。信号の波長として利用する波長をλ1からλ4の4種類を使うことによって、ユーザーの数にして4倍（ONU-1からONU-16）の大きさのシステムに拡張されている。すなわち、ONU-1からONU-4では波長λ1を利用し、ONU-5からONU-8では波長λ2を利用し、ONU-9からONU-12では波長λ3を利用し、ONU-13からONU-16では波長λ4を利用する。また、ONU-1、5、9及び13に割り当てる符号は共通にすることができる。同様に、ONU-2、6、10及び14に割り当てる符号、ONU-3、7、11及び15に割り当てる符号、ONU-4、8、12及び16に割り当てる符号は、それぞれ共通にすることができる。また、ONU-1からONU-16に、それぞれ第1チャンネル(ch1）から第16チャンネル(ch16)を対応させてある。もちろん、上述の符号の割り当て及びONUへのチャンネルの割り当ては、一例を示したに過ぎず、これに限定されるものではない。
【０１５２】
信号の波長として利用する波長をλ1からλ4の4種類に増やしたことによって、図1に示した光アクセスネットワークシステムにおける光合分岐器66に対応する光合分岐器66-1及び66-4と、光カプラ124に対応する光カプラ124-1及び124-4との間に、波長選択性を持った波長選択性合分波器50及び54が必要である。
【０１５３】
波長選択性を持った波長選択性合分波器としては、例えば、WDM合分波器を利用することができる。また、波長選択性を持たない光合分岐器とこの光合分岐器の分岐光を出力する各ポートに、透過波長の異なる光フィルタを設置した装置を利用することもできる。
【０１５４】
第3実施例の光アクセスネットワークシステムにおいても、信号の波長がλ1からλ4で送受信が行われる各部分の構成は、それぞれ第1実施例の光アクセスネットワークシステムと同一であるから、光合分岐器とONUとを接続するために使われる光コネクタからの反射光成分が、ONUの受信信号に混入しても、受信信号のS/N比が低下することがないという効果が得られることは明らかである。
【図面の簡単な説明】
【０１５５】
【図１】光アクセスネットワークシステムの概略的ブロック構成図である。
【図２】第1実施例の光端末装置の概略的ブロック構成図である。
【図３】第2実施例の光端末装置の概略的ブロック構成図である。
【図４】送信信号が符号化される過程の説明に供する図である。
【図５】受信信号が復号化される過程の説明に供する図である。
【図６】光コネクタからの反射光が受信信号処理部に混入する様子の説明に供する図である。
【図７】受信信号と反射された送信信号が混入した信号を復号化した場合の自己相関波形のピーク位置の関係について示す図である。
【図８】アナログマッチドフィルタの概略的ブロック構成図である。
【図９】判定回路の概略的ブロック構成図及びその動作原理の説明に供する図である。
【図１０】第3実施例の光アクセスネットワークシステムの概略的ブロック構成図である。
【符号の説明】
【０１５６】
10：光端末装置（ONU）
12、102：光処理部
14、14-1、14-2、14-3、14-4、104：電気処理部
16、16-1、16-2、16-3、16-4、124、124-1、124-4：光カプラ
18、126：受光素子
20、122：発光素子
22、22-1、22-2、22-3、22-4、108：受信信号処理部
24、24-1、24-2、24-3、24-4、106：送信信号処理部
26、36、130：電気信号分岐器
28、128：自動利得制御素子
30：復号化処理回路
34：クロック信号再生回路
38：分周器
40：遅延回路
42：コンパレータ
44：アナログマッチドフィルタ
46：判定回路
50、54：波長選択性合分波器
52：Dフリップフロップ回路
56：符号化処理回路
60、120：ドライバ（増幅器）
61、62、63、64、68、72、：光コネクタ
66、66-1、66-4：光合分岐器
70：光ファイバ伝送路
74、76：分岐光ファイバ伝送路
100：光回線終端装置（OLT）
110：クロック信号生成回路
116：符号化処理回路列
118、154、156：電気信号合波器
132：復号化処理回路列
140：アナログシフトレジスタ
142：プラス信号用加算器
144：マイナス信号用加算器
146：アナログ加算器
148：ローパスフィルタ
150：増幅器
152：反転増幅器
【図２】
0004784323.tif 000002
【図３】
0004784323.tif 000003
【図４】
0004784323.tif 000004
【図５】
0004784323.tif 000005
【図６】
0004784323.tif 000006
【図７】
0004784323.tif 000007
【図８】
0004784323.tif 000008
【図９】
0004784323.tif 000009
【図１】
0004784323.tif 000010
【図１０】
0004784323.tif 000011